(57)【要約】【課題】  本発明はフォームデータに被フォームデータを合成してファクシミリ送信、又は印刷処理を行うファクシミリ装置及び印刷装置に関する。【解決手段】  本発明は１枚目、又は指定されたページの原稿情報をフォームデータとしてメモリに記憶し、他のページの原稿情報を上記フォームデータに合成処理し、紙原稿を使用するファクシミリ装置であり、このように構成することにより、紙原稿の原稿情報を読み取り、ファクシミリ送信するファクシミリ装置であっても、簡易な操作で合成原稿情報のファクシミリ送信することができる。【選択図】  図１
2006186813.tif 000002
【特許請求の範囲】
【請求項１】
原稿トレイに載置された複数枚の原稿を順次読み取る読取手段と、
該読取手段によって読み取られた１枚目の原稿情報と、前記読取手段によって読み取られた２枚目以降の原稿情報とを合成する合成手段と、
該合成手段によって合成された情報をファクシミリ送信する送信手段と、
を備えたことを特徴とするファクシミリ装置。
【請求項２】
前記読取手段によって読み取られた複数枚の原稿情報のうち、何枚目の情報を合成処理するか指定する頁指定手段を備えたことを特徴とする請求項１記載のファクシミリ装置。
【請求項３】
原稿トレイに載置された複数枚の原稿を順次読み取る読取手段と、
該読取手段によって読み取られた１枚目の原稿情報を、合成用原稿情報としてインデックス情報を付けて予め登録する記憶手段と、
ファクシミリ送信に際し、前記インデックス情報を指定して前記予め登録された合成用原稿情報を読み出す読出手段と、
前記読取手段により読み取られた送信原稿情報に、前記読出手段によって読み出された合成用原稿情報を合成して送信処理する送信手段と、
を備えたことを特徴とするファクシミリ装置。
【請求項４】
原稿トレイに載置された複数枚の原稿を順次読み取る読取手段と、
該読取手段によって読み取られた１枚目の原稿情報と、前記読取手段によって読み取られた２枚目以降の原稿情報とを合成する合成手段と、
該合成手段によって合成された情報を印刷出力する印刷手段と、
を備えたことを特徴とする印刷装置。
【請求項５】
前記読取手段によって読み取られた複数枚の原稿情報のうち、何枚目の情報を合成処理するか指定する頁指定手段を備えたことを特徴とする請求項４記載の印刷装置。
【請求項６】
原稿トレイに載置された原稿を読み取る読取手段と、
該読取手段によって読み取られた原稿情報を合成用原稿情報としてインデックス情報を付けて予め記憶する記憶手段と、
印刷に際し、前記インデックス情報を指定して前記予め記憶された合成用原稿情報を読み出す読出手段と、
前記読取手段により読み取られた印刷原稿情報に、前記読出手段によって読み出された合成用原稿情報を合成して印刷処理する印刷手段と、
を備えたことを特徴とする印刷装置。
【発明の詳細な説明】
【技術分野】
【０００１】
本発明はフォームデータに被フォームデータを合成してファクシミリ送信、又は印刷処理を行うファクシミリ装置及び印刷装置に関する。
【背景技術】
【０００２】
今日、ファクシミリ送信を行う際、パーソナルコンピュータ（ＰＣ）からフォームデータを受信し、更に実際の送信文書データを受信し、ファクシミリ装置内で合成処理を行い、宛先にファクシミリ送信する技術が知られている。
【０００３】
特許文献１は上記技術に関する発明であり、フォームデータを記憶するフォームメモリを有し、このフォームメモリに記憶するフォームデータと、上位装置から受信した印刷データとを重ね合わせ、ファクシミリ送信するファクシミリ装置の発明を開示する。
【特許文献１】特開平６−２３３１１５号公報（段落番号０００９〜００１９、図１及び図２）
【発明の開示】
【発明が解決しようとする課題】
【０００４】
しかしながら、上記特許文献１の発明は、所謂ＰＣ−ＦＡＸにおける、フォームオーバレイの実現技術であり、通常行われる原稿台に原稿を載置し、スキャナで読み取るファクシミリ送信には適用できない。すなわち、ファクシミリ装置自体が従来から使用されている装置であり、単独で使用する限り問題はないが、他のシステムと連動して使用する場合において問題が発生する。
【０００５】
例えば、会社のロゴマーク等を送信文書の全頁に渡って背景データとして設定する場合、問題となる。かかる場合、実際にそのような原稿を予め作成し、スキャナで読み込んでファクシミリ送信する必要がある。
【０００６】
そこで、本発明は１枚目、又は指定されたページの原稿情報をフォームデータとしてメモリに記憶し、他のページの原稿情報を上記フォームデータに合成処理し、紙原稿を使用するファクシミリ装置においても、簡易な操作で合成原稿情報のファクシミリ送信を行うことができるものである。
【課題を解決するための手段】
【０００７】
上記課題は本発明によれば、原稿トレイに載置された複数枚の原稿を順次読み取る読取手段と、該読取手段によって読み取られた１枚目の原稿情報と、前記読取手段によって読み取られた２枚目以降の原稿情報とを合成する合成手段と、該合成手段によって合成された情報をファクシミリ送信する送信手段とを備えたファクシミリ装置を提供することによって達成できる。
【０００８】
すなわち、ファクシミリ送信文書の１枚目をフォームデータとし、単独で送信することなく、２枚目以降の原稿情報に合成処理してファクシミリ送信するものである。このように構成することにより、例えば１枚目のフォームデータを２枚目以降の原稿画像の背景データとして使用し、紙原稿を使用するファクシミリ装置においても、簡単に合成情報をファクシミリ送信することができる。
【０００９】
また、例えば前記読取手段によって読み取られた複数枚の原稿情報のうち、何枚目の情報を合成処理するか指定する頁指定手段を備えた構成としてもよい。このように構成することにより、合成処理する頁を指定し、希望する頁のデータを、例えば背景データとして送信文書をファクシミリ送信することができる。
【００１０】
上記課題は本発明によれば、原稿トレイに載置された複数枚の原稿を順次読み取る読取手段と、該読取手段によって読み取られた１枚目の原稿情報を、合成用原稿情報としてインデックス情報を付けて予め登録する記憶手段と、ファクシミリ送信に際し、前記インデックス情報を指定して前記予め登録された合成用原稿情報を読み出す読出手段と、前記読取手段により読み取られた送信原稿情報に、前記読出手段によって読み出された合成用原稿情報を合成して送信処理する送信手段とを備えたファクシミリ装置を提供することによって達成できる。
【００１１】
すなわち、フォームデータを予めスキャナから読み込ませ、合成用原稿情報としてインデックス情報を付与して記憶手段に登録し、以後送信文書に上記合成用原稿情報を合成処理し、効率良くファクシミリ送信させる構成である。
【００１２】
また、上記課題は本発明によれば、原稿トレイに載置された複数枚の原稿を順次読み取る読取手段と、該読取手段によって読み取られた１枚目の原稿情報と、前記読取手段によって読み取られた２枚目以降の原稿情報とを合成する合成手段と、該合成手段によって合成された情報を印刷出力する印刷手段とを備え印刷装置を提供することによって達成できる。
【００１３】
本発明は印刷装置の発明であり、今日の多機能記録装置に対応し、ファクシミリ送信機能を有する印刷装置を使用し、１枚目の原稿情報と２枚目以降の原稿情報とを合成し、当該合成情報を印刷出力する構成である。
【００１４】
また、前記読取手段によって読み取られた複数枚の原稿情報のうち、例えば何枚目の情報を合成処理するか指定する頁指定手段を備えた構成である。
このように構成することにより、合成処理する頁を指定し、希望する頁のデータを背景データとした画像を印刷出力することができる。
【００１５】
また、原稿トレイに載置された原稿を読み取る読取手段と、該読取手段によって読み取られた原稿情報を合成用原稿情報としてインデックス情報を付けて予め記憶登録する記憶手段と、印刷に際し、前記インデックス情報を指定して前記予め登録された合成用原稿情報を読み出す読出手段と、前記読取手段により読み取られた印刷原稿情報に、前記読出手段によって読み出された合成用原稿情報を合成して印刷処理する印刷手段とを備えた印刷装置を提供することによって達成できる。
【００１６】
すなわち、フォームデータを予めスキャナから読み込ませ、合成用原稿情報としてインデックス情報を付与して記憶手段に登録し、以後印刷文書に上記合成用原稿情報を合成処理し、効率良く合成画像の印刷処理を行わせる構成である。
【発明の効果】
【００１７】
本発明によれば、原稿情報をスキャナで読み取り、原稿情報をファクシミリ送信する場合でも、１頁目、又は指定する頁の原稿情報をフォームデータとして使用し、フォームデータに他の頁の原稿情報を合成処理し、送信データとしてファクシミリ送信することができる。
【００１８】
また、同様に原稿情報をスキャナで読み取り、１頁目、又は指定する頁の原稿情報をフォームデータとして使用し、フォームデータに他の頁の原稿情報を合成処理し、印刷出力する印刷装置も提供することができる。
【発明を実施するための最良の形態】
【００１９】
以下、本発明の実施の形態を図面を参照しながら説明する。
（実施形態１）
図１は、本実施形態のファクシミリ装置の構成を示す図である。
【００２０】
同図において、本例のファクシミリ装置１は、スキャナ２、スキャナインターフェイス（以下、スキャナＩ/Ｆで示す）３、スキャナ入力色変換部４、メモリ５、Ｇ３／Ｇ４コーデック６、モデム７、ＮＣＵ(Network Contorol Unit)８で構成されている。
【００２１】
スキャナ２は、原稿台に載置された原稿に光を照射し、原稿画像を読み取る装置であり、スキャナＩ/Ｆ３は上記スキャナ２を制御して、ファクシミリ文書をスキャナ入力色変換部４に出力する装置である。
【００２２】
スキャナ入力色変換部４は、上記スキャナＩ/Ｆ３を介して供給されるデータをモノクロ２値データに変換する。また、メモリ５はスキャナ入力色変換部４で変換されたモノクロ２値データをページ単位で記憶する。尚、メモリ５は上記モノクロ２値データを記憶する記憶エリア、及びワークエリア、更にフォームデータを記憶するエリアで構成されている。
【００２３】
Ｇ３／Ｇ４コーデック６は、メモリ５から読み出したモノクロ２値データに対し、デジタル／アナログ変換を行い、Ｇ３規格又はＧ４規格に基づくファクシミリ送信用のデータフォーマットに変換する装置である。さらに、モデム７及びＮＣＵ８は宛先にファクシミリ文書を送信する際の制御部である。
【００２４】
次に、本例の処理動作について説明する。
先ず、ファクシミリ装置の不図示の操作パネルを操作し、ファクシミリ送信の送信タイプを設定する。図２は指定する「ＦＡＸ送信タイプ」の例を示す。先ず、同図に示す「１」は通常ＦＡＸであり、ファクシミリ送信する文書全てをそのまま送信する場合に指定する。次に、「２」はファクシミリ送信文書の１枚目がフォームデータであり、２枚目以降にこのフォームデータを合成する場合指定する。さらに、「３」はファクシミリ送信文書の２枚目がフォームデータであり、３枚目以降にこのフォームデータを合成する場合指定する。
【００２５】
したがって、ファクシミリ装置の利用者は、操作パネルを操作し、予め上記「１」〜「３」の何れの送信タイプでファクシミリ送信を行うか設定処理を行っておく。
次に、図３に示すフローチャートに従って処理が行われる。先ず、不図示の原稿台に原稿をセットし、スキャナ２を駆動して１枚目の原稿情報を読み取る（ステップ（以下、Ｓで示す）１）。次に、スキャナ２で読み取った原稿情報をスキャナ入力色変換部４に供給し、スキャナ入力色変換部４によって原稿情報をモノクロ２値データに変換する（Ｓ２）。また、読み取った原稿データがカラー画像の場合、ＲＧＢの所定ビットデータをモノクロ２値データに変換する。
【００２６】
次に、前述のようにスキャナ入力色変換部４で変換されたデータは、メモリ５に展開され、モノクロ２値データとして１ページ分のデータがメモリ５に記憶される（Ｓ３）。
次に、前述の処理によって設定された「ＦＡＸ送信タイプ」を判断する。先ず、「ＦＡＸ送信タイプ」が「２」であるか判断する（Ｓ４）。ここで、「ＦＡＸ送信タイプ」が「２」である場合、前述のように紙原稿の１枚目がフォームデータであり、スキャナ２で読み出したデータをフォームデータとしてメモリ５に保存する（Ｓ５がＹＥＳ、Ｓ６）。そして、オーバレイ実行フラグをオンにする（Ｓ７）。
【００２７】
この場合、以後最初の処理に戻り、次の原稿情報をスキャナ２から読み取る。その後、上記と同様の処理を行い、スキャナ２で読み取った原稿情報はスキャナ入力色変換部４に供給され、モノクロ２値データに変換され（Ｓ２）、メモリ５に１ページ分のモノクロ２値データが展開された後（Ｓ３）、「ＦＡＸ送信タイプ」が「２」であることを判断し（Ｓ４がＹＥＳ）、更に２枚目の原稿データであることを判断し（Ｓ５がＮＯ）、フォームオーバレイの実行フラグがオンであるか判断する（Ｓ９）。
【００２８】
この時、前述の処理（Ｓ７）において、上記フォームオーバレイの実行フラグがオンに設定されており（Ｓ９がＹＥＳ）、メモリ５に記憶されたフォームデータを読み出し、フォームデータを２枚目の原稿データにオア合成し、合成データをメモリ５に展開する（Ｓ１０）。その後、ファクシミリデータをフォーマットに圧縮処理し（Ｓ１１）、ファクシミリ送信を行う（Ｓ１２、Ｓ１３）。
【００２９】
一方、「ＦＡＸ送信タイプ」が「３」である場合、不図示の原稿台に紙原稿をセットし、スキャナ２を駆動して１枚目の原稿情報を読み取ると、スキャナ２で読み取った原稿情報はスキャナ入力色変換部４に供給され、モノクロ２値データに変換され（Ｓ２）、メモリ５に１ページ分のモノクロ２値データが展開された後（Ｓ３）、「ＦＡＸ送信タイプ」が「３」であることを判断し（Ｓ４がＮＯ、Ｓ８がＹＥＳ、Ｓ１４がＮＯ）、オーバレイ実行のオンフラグの設定を判断する。１枚目の場合、この判断（Ｓ９）はＮＯであり、１枚目の紙原稿の情報はそのままＦＡＸデータフォーマットに圧縮処理され、ファクシミリ送信される（Ｓ１２、Ｓ１３）。
【００３０】
次に、２枚目の紙原稿のデータは、上記と同様にスキャナ２で読み取られ、スキャナ入力色変換部４に供給され、更に１ページ分のモノクロ２値データとしてメモリ５に展開された後（Ｓ３）、「ＦＡＸ送信タイプ」が「３」であることを判断する（Ｓ４がＮＯ、Ｓ８がＹＥＳ）。そして、次に２枚目の紙原稿であることを判断し（Ｓ１４がＹＥＳ）、前述の処理（Ｓ６）を実行する。すなわち、スキャナ２で読み出した２枚目の原稿データをフォームデータとしてメモリ５に保存し、オーバレイ実行フラグをオンにする（Ｓ６、Ｓ７）。
【００３１】
以後、３枚目以降の原稿データは、判断（Ｓ１４）がＮＯとなり、上記フォームオーバレイの実行フラグがオンであるか判断し、メモリ５に記憶されたフォームデータを読み出し、フォームデータを３枚目の原稿データに合成し、合成データを作成する（Ｓ１０、Ｓ１１）。その後、ファクシミリデータをフォーマットに圧縮処理し、ファクシミリ送信を行う（Ｓ１２、Ｓ１３）。
【００３２】
尚、４ページ以降についても、同様の処理を行い、フォームデータの合成処理を行い、例えば背景画像として使用することができる。
以上のように、本例によれば１枚目、又は指定されたページの原稿情報をフォームデータとしてメモリ５に記憶し、他のページの紙原稿の情報を上記フォームデータに合成処理することによって紙文書である原稿情報を、簡易な操作で背景データとしてファクシミリ送信することができる。
（実施形態２）
次に、本発明の実施形態２について説明する。
【００３３】
本例はフォームデータを予めメモリ５に記憶しておき、紙原稿をファクシミリ送信する際、メモリ５からフォームデータを読み出し、フォームデータを原稿情報に合成印刷するものである。以下、具体的に説明する。
【００３４】
図４は、予めメモリ５に記憶するフォームデータの例であり、登録フォーム番号と名称を指定する。この登録フォーム番号と名称は、フォームデータをスキャナ２によって読み込む際、不図示の操作パネルを操作して指定するものである。
【００３５】
上記のようにしてメモリ５に登録されたフォームデータ、及び登録フォーム番号と名称の情報は、紙原稿をファクシミリ送信する際、合成処理され宛先に送信される。すなわち、紙原稿を送信する際、事前に操作パネルから使用するフォームデータの指定を行う。
【００３６】
図５はフォームデータの指定を行う際のフォーマットであり、上記のように登録フォーム番号又は名称の指定を行う。尚、登録フォーム番号と名称の両方の指定を行う構成としてもよい。また、フォームデータの合成を開始するページの指定を行う。このように構成することにより、合成開始の指定を行ったページからフォームデータの合成処理を行うことができる。
【００３７】
以上のように、本例によれば１枚目、又は指定されたページの原稿情報を他のページの原稿情報に合成処理することができ、更に予めメモリ５に登録したフォームデータを使用することによって、ファクシミリ送信時にフォームデータを読み込む操作をなくすことができ、より簡単なファクシミリ装置とすることができる。
【００３８】
また、上記実施形態１、及び実施形態２においては、ファクシミリ送信装置について説明したが、近年ファクシミリ機能や、複写機能、プリント機能等の各種機能を有する多機能印刷機（複合機：ＭＦＰ（マルチファンクションプリンタ））が市販されている。したがって、このような複合機に本例を適用する構成であってもよい。例えば、スキャナ２で読み取った原稿情報を前述と同様合成処理し、当該合成画像をプリント出力する複合機に適用することができる。
【００３９】
このように構成することにより、１枚目、又は指定されたページの原稿情報を他のページの原稿情報に合成処理し、紙原稿の原稿情報を簡単な操作で自動的に印刷出力することができる。また、前述のように予めメモリにフォームデータを登録しておくことにより、より簡単に紙原稿の合成画像を印刷出力することができる。
【図面の簡単な説明】
【００４０】
【図１】本実施形態のファクシミリ装置の構成を示す図である。
【図２】指定する「ＦＡＸ送信タイプ」の例を模式図で示す。
【図３】実施形態１の処理を説明するフローチャートである。
【図４】実施形態２を説明する図である。
【図５】実施形態２を説明する図である。
【符号の説明】
【００４１】
１・・・ファクシミリ装置
２・・・スキャナ
３・・・スキャナＩ/Ｆ
４・・・スキャナ入力色変換部
５・・・メモリ
６・・・Ｇ３／Ｇ４コーデック
７・・・モデム
８・・・ＮＣＵ
【図１】
2006186813.tif 000003
【図２】
2006186813.tif 000004
【図３】
2006186813.tif 000005
【図４】
2006186813.tif 000006
【図５】
2006186813.tif 000007